(57)【要約】【課題】発熱部と頭皮との接触を抑制すると共に、発熱部から毛髪への伝熱を促進することができるヘアーブラシを提供する。【解決手段】ブラシ部２０内に設けられたヒータ２２と、ブラシ部２０の外面に設けられヒータ２２により加熱される加熱板２５１と、加熱板２５１から突出しヒータ２２により加熱される複数の加熱突起２５２とを備える加熱部材２５０と、加熱板２５１から突出し、加熱時の加熱部材２５０よりも低温である複数のブラシピン２６１とを備え、ブラシピン２６１は、加熱突起２５２を挟むように配され、ブラシピン２６１の加熱板２５１からの突出量は、加熱突起２５２の加熱板２５１からの突出量よりも大きいヘアーブラシ１０。【選択図】図３
2019041843.tif 000002
【特許請求の範囲】
【請求項１】
ブラシ部内に設けられた発熱体と、
前記ブラシ部の外面に設けられ前記発熱体により加熱される加熱板と、前記加熱板から突出し前記発熱体により加熱される複数の加熱突起とを備える加熱部と、
前記加熱板から突出し、加熱時の前記加熱部よりも低温である複数のブラシピンと
を備え、
前記ブラシピンは、前記加熱突起を挟むように配され、
前記ブラシピンの前記加熱板からの突出量は、前記加熱突起の前記加熱板からの突出量よりも大きいヘアーブラシ。
【請求項２】
請求項１に記載のヘアーブラシであって、
前記ブラシピンと前記加熱突起とが交互に一又は複数方向に配されているヘアーブラシ。
【請求項３】
請求項１又は２に記載のヘアーブラシであって、
前記ブラシピンと前記加熱突起とが交互に第１の方向と前記第１の方向に対して直交する第２の方向とに沿って配されているヘアーブラシ。
【請求項４】
請求項１〜３の何れか１項に記載のヘアーブラシであって、
４本の前記ブラシピンが、１個の前記加熱突起を囲むように配されているヘアーブラシ。
【請求項５】
請求項１〜４の何れか１項に記載のヘアーブラシであって、
前記ブラシピンが、前記加熱突起に指で触れることができないように配されているヘアーブラシ。
【請求項６】
請求項１〜５の何れか１項に記載のヘアーブラシであって、
前記ブラシ内部に設けられイオンを発生するイオン発生装置を備え、
前記ブラシ部には、前記イオン発生装置により発生された前記イオンを前記加熱板の縁部の近傍から放出するイオン放出孔が形成されているヘアーブラシ。
【請求項７】
請求項６に記載のヘアーブラシであって、
複数の前記イオン放出孔が前記加熱板の幅方向一端側の縁部に沿って配され、
複数の前記イオン放出孔が前記加熱板の幅方向他端側の縁部に沿って配されているヘアーブラシ。
【発明の詳細な説明】
【技術分野】
【０００１】
本発明は、ヘアーブラシに関する。
【背景技術】
【０００２】
発熱式のヘアーブラシとして、ブラシ毛によるブラッシング機能と、加熱板によるアイロン機能とを併せ持つものが知られている（例えば、特許文献１参照）。
【０００３】
【特許文献１】特開２０１４−７９５６４号公報
【発明の概要】
【発明が解決しようとする課題】
【０００４】
発熱式のヘアーブラシにおいて、発熱部と頭皮との接触を抑制すると共に、発熱部から毛髪への伝熱を促進することが要求されている。
【０００５】
本発明が解決しようとする課題は、発熱部と頭皮との接触を抑制すると共に、発熱部から毛髪への伝熱を促進することができるヘアーブラシを提供することである。
【課題を解決するための手段】
【０００６】
本発明は、ブラシ部内に設けられた発熱体と、前記ブラシ部の外面に設けられ前記発熱体により加熱される加熱板と、前記加熱板から突出し前記発熱体により加熱される複数の加熱突起とを備える加熱部と、前記加熱板から突出し、加熱時の前記加熱部よりも低温である複数のブラシピンとを備え、前記ブラシピンは、前記加熱突起を挟むように配され、前記ブラシピンの前記加熱板からの突出量は、前記加熱突起の前記加熱板からの突出量よりも大きい。
【発明の効果】
【０００７】
本発明によれば、発熱部と頭皮との接触を抑制すると共に、発熱部から毛髪への伝熱を促進することができる。
【図面の簡単な説明】
【０００８】
【図１】図１は、本発明の一実施形態に係るヘアーブラシを示す斜視図である。
【図２】図２は、本発明の一実施形態に係るヘアーブラシを示す平面図である。
【図３】図３は、本発明の一実施形態に係るヘアーブラシを示す側面図である。
【図４】図４は、図２のIV−IV断面図である。
【図５】図５は、図２のV−V断面図である。
【図６】図６は、放電板を示す斜視図である。
【図７】図７は、他の実施形態に係るヘアーブラシを示す平面図である。
【図８】図８は、図７のVIII−VIII断面図である。
【図９】図９は、他の実施形態に係るヘアーブラシを示す平面図である。
【図１０】図１０は、他の実施形態に係るヘアーブラシを示す平面図である。
【発明を実施するための形態】
【０００９】
以下、図面を参照して本発明の一実施形態に係るヘアーブラシ１０について説明する。なお、発明の実施の形態を通じて本発明を説明するが、特許請求の範囲に係る発明を以下の実施形態に限定するものではない。また、実施形態で説明する構成の全てが課題を解決するための手段として必須であるとは限らない。
【００１０】
図１は、本発明の一実施形態に係るヘアーブラシ１０を示す斜視図である。この図に示すヘアーブラシ１０は、発熱式のヘアーブラシであり、使用者により保持される保持部１２と、加熱突起２５２とブラシピン２６１とを備えるブラシ部２０とを備える。保持部１２は、棒状に構成されており、不図示の回路基板を収容している。この保持部１２の軸方向一端（以下、基端という）には、電源コード１４が接続されている。一方、保持部１２の軸方向他端（以下、先端という）には、ブラシ部２０が接合されている。また、保持部１２には、電源スイッチ１６と、温度切替スイッチ１８とが設けられている。電源スイッチ１６がオンになった場合に、後述のヒータ２２が発熱する。また、温度切替スイッチ１８の操作によりヒータ２２の温度が調整される。なお、電源コード１４を保持部１２の基端に接続し商用電源をヘアーブラシ１０に供給することは必須ではなく、保持部１２に電池を内蔵してコードレス式のヘアーブラシ１０としてもよい。
【００１１】
図２は、ヘアーブラシ１０を示す平面図である。図３は、ヘアーブラシ１０を示す側面図である。図４は、図２のIV−IV断面図である。図５は、図２のV−V断面図である。図４及び図５に示すように、ブラシ部２０は、ケーシング２１と、ヒータ２２と、ヒータ保持板２３と、伝熱板２４と、加熱部材２５と、複数のブラシ体２６と、マイナスイオン発生器２７とを備える。図１〜図３に示すように、ブラシ部２０は、ケーシング２１と加熱部材２５とキャップ部材２８とが組み合わされた構成の本体部２０１を備える。この本体部２０１は、楕円筒形状に構成されている。
【００１２】
ケーシング２１の断面（本体部２０１の軸方向に対して直交する断面）の形状は、半楕円形状である。ケーシング２１の軸方向一端（以下、基端という）は、保持部１２の先端に接合され、ケーシング２１の軸方向他端（以下、先端という）には、キャップ部材２８が取り付けられている。また、ケーシング２１には、開口２１１がケーシング２１の先端から基端まで設けられている。
【００１３】
加熱部材２５は、加熱板２５１と、複数の加熱突起（ピン）２５２とを備える。加熱板２５１と複数の加熱突起２５２とは、金属等の熱伝導率が高い材料により一体で構成されている。加熱板２５１の断面（本体部２０１の軸方向に対して直交する断面）の形状は、円弧状である。また、加熱板２５１の幅方向両端が、ケーシング２１の開口縁部に接合されている。この加熱板２５１には、複数の開口２５１１が、後述のブラシピン２６１の位置に対応して配されており、ブラシピン２６１が、開口２５１１を通して本体部２８内から突出している。
【００１４】
複数の加熱突起２５２は、加熱板２５１の外面に設けられている。それぞれの加熱突起２５２の形状は、図２における平面視で（図１〜図５の矢印Ｚ方向から視て）楕円状である。また、それぞれの加熱突起２５２の形状は、図４における断面視で（図１〜図５の矢印Ｙ方向から視て）逆Ｕ字状である。
【００１５】
ヒータ２２は、ＰＴＣヒータ等の従来周知のヒータであり、板状に構成されている。ヒータ保持板２３は、金属等で構成された矩形状の板である。ここで、ケーシング２１の開口縁部には保持部２１２が設けられており、ヒータ保持板２３の幅方向（図１〜５の矢印Ｘ方向）の端部が、保持部２１２により保持されている。ヒータ２２は、ヒータ保持板２３の上面（図４における上側の面）に取り付けられている。
【００１６】
伝熱板２４は、金属等の熱伝導率の高い材料で構成されている。この伝熱板２４は、ヒータ２２と加熱板２５１との間に、ヒータ２２と加熱板２５１との双方に接するように配されている。これにより、ヒータ２２で発生した熱が、伝熱板２４を介して加熱板２５１および加熱突起２５２に伝わり、加熱板２５１および加熱突起２５２が加熱される。ここで、図４および図５に示すように、伝熱板２４と加熱板２５１との広範囲が相互に当接しており、ヒータ２２の熱が伝熱板２４を介して加熱板２５１の全体に伝わる。
【００１７】
ブラシ体２６は、複数のブラシピン２６１と、基台２６２とを備える。ブラシピン２６１および基台２６２は、合成樹脂等の熱伝導率が低い材料により一体で構成されている。特に、ブラシピン２６１は、加熱突起２５２よりも熱伝導率が低い材料で構成されており、加熱時の加熱突起２５２よりも低温となる。基台２６２は、長尺の矩形板状の部材である。複数（例えば、１０本以上）のブラシピン２６１は、基台２６２上に所定間隔で配列されている。
【００１８】
ブラシピン２６１は、円柱状の軸部２６１１と、軸部２６１１の先端に設けられた球状部２６１２とを備える。軸部２６１１の直径は数ｍｍ以上である。この軸部２６１１は、使用者が軽く触れただけでは変形しない。
【００１９】
複数のブラシ体２６の夫々は、ブラシ部２０の軸方向（図１〜図５のＹ方向）に沿ってブラシピン２６１が並ぶように配されている。また、複数のブラシ体２６は、ブラシ部２０の幅方向（図１〜図５のＸ方向）に所定間隔で並ぶように配されている。ここで、上述したように、ブラシピン２６１の位置は、加熱板２５１の開口２５１１の位置に対応しており、これにより、ブラシピン２６１は、開口２５１１から加熱板２５１の上方（図１〜図５のＺ方向）に突出している。なお、ブラシピン２６１および加熱突起２５２の配置の詳細と、ブラシピンと加熱突起２５２の加熱板２５１からの突出高さの関係とについては後述する。
【００２０】
図４に示すように、マイナスイオン発生器２７は、放電板２７１と、放電板取付部２７２と、不図示の高電圧発生装置とを備える。放電板取付部２７２は、ヒータ保持板２３とケーシング２１との間の空間に配されており、ヒータ保持板２３に固定されている。
【００２１】
図６は、放電板２７１を示す斜視図である。この図に示すように、放電板２７１は、基板部２７１１と、複数（本実施形態では６個）の針状電極２７１２とを備える。基板部２７１１は、ブラシ部２０の軸方向（図中Ｙ方向）に延びる細長い金属板であり、放電板取付部２７２に固定されている。この基板部２７１１には、上記の高電圧発生装置が配線を介して接続されている。これにより、高電圧発生装置から放電板２７１に電圧が印加されると、針状電極２７１２の先端において放電が発生しマイナスイオンが放出される。
【００２２】
基板部２７１１の長手方向の一端端部、他端部および中間部にはそれぞれ、一対の針状電極２７１２が設けられている。一対の針状電極２７１２は、基板部２７１１から相互に反対側へ突出している。また、一対の針状電極２７１２は、基板部２７１１から相互に同じ側（図４および図６のＺ方向）に折り曲げられている。
【００２３】
ここで、図３および図４に示すように、ケーシング２１の開口縁部の近傍には、複数（本実施形態では６個）のイオン放出孔２１３が形成されている。複数のイオン放出孔２１３は、開口２１１の長手方向に沿って３行２列で配されており、２列のイオン放出孔２１３が、開口２１１を挟んで配されている。各列の３個のイオン放出孔２１３は、等間隔で配されている。
【００２４】
ここで、それぞれのイオン放出孔２１３は、それぞれの針状電極２７１２の位置に対応して配されている。また、針状電極２７１２の先端が、イオン放出孔２１３の近傍に配されている。さらに、イオン放出孔２３１は、上向き（図中Ｚ方向）に開口している。これにより、高電圧発生装置から放電板２７１に電圧が印加されると、マイナスイオンがイオン放出孔２３１を通じて本体部２０１から上向き（加熱板２５１の法線方向）に放出される。ここで、マイナスイオンの放出方向は、ブラシピン２６１の突出方向と近似している。
【００２５】
図４に示すように、加熱突起２５２の頂点の加熱板２５１の外面からの高さ（以下、加熱突起２５２の突出高さという）Ｈ１は、ブラシピン２６１の頂点の加熱板２５１の外面からの高さ（以下、ブラシピン２６１の突出高さという）Ｈ２よりも低く設定されている。ここで、加熱突起２５２の突出高さＨ１とブラシピン２６１の突出高さＨ２との差と、加熱突起２５２とブラシピン２６１との配置とによって、ブラシピン２６１に触れた使用者の指が加熱突起２５２に触れるか否かが決まる。また、加熱突起２５２とブラシピン２６１との配置によって、使用者がヘアーブラシ１０を用いて毛髪をブラッシングする際における、髪通りの良さや加熱突起２５２から毛髪への伝熱性が決まる。そこで、本実施形態に係るヘアーブラシ１０では、ブラシピン２６１に触れた使用者の指が加熱突起２５２に触れることを防止し、且つ、ブラッシングする際の髪通りと伝熱性とを良好にすることを目的として、加熱突起２５２の突出高さＨ１とブラシピン２６１の突出高さＨ２との差と、加熱突起２５２とブラシピン２６１との配置とが設定されている。
【００２６】
図３に示すように、加熱突起２５２は、加熱板２５１の上にｎ（３以上）行ｍ（２以上）列で格子状に配されている。なお、以下の説明では、加熱板２５１の幅方向（図中Ｘ方向）の並びを「行」と称し、加熱板２５１の長手方向（図中Ｙ方向）の並びを「列」と称する。
【００２７】
本実施形態では、各行３個の加熱突起２５２（以下、加熱突起群２５２Ａという）が、図中Ｙ方向に等間隔で配されている。また、各列の９個の加熱突起２５２が、図中Ｘ方向に等間隔で配されている。なお、本実施形態では、加熱突起２５２を９行３列に配したが、各行や各列の加熱突起２５２の数（ｎ，ｍ）は増減してもよい。
【００２８】
一方、ブラシピン２６１は、千鳥状（ジグザグ状）に配されている。本実施形態では、各行の複数（ｍ＋１）本のブラシピン２６１からなる第１のブラシピン群２６１Ａと、各行の複数（ｍ）本のブラシピン２６１からなる第２のブラシピン群２６１Ｂとが、図中Ｙ方向に交互に配されている。第１のブラシピン群２６１Ａを構成する複数（ｍ＋１）本のブラシピン２６１は、上記の加熱突起群２５２Ａを構成する加熱突起２５２と交互に配されている。一方、第２のブラシピン群２６１Ｂを構成する複数（ｍ）本のブラシピン２６１は、加熱突起群２５２Ａの間に配されている。
【００２９】
本実施形態では、（ｎ＋２）本のブラシピン２６１からなる第１のブラシピン列２６１Ｃと、（ｎ＋１）本のブラシピン２６１からなる第２のブラシピン列２６１Ｄとが交互に配されている。第１のブラシピン列２６１Ｃは、加熱突起２５２の列の間と、両端の加熱突起２５２の列の外側とに配されている。第２のブラシピン列２６１Ｄを構成するブラシピン２６１は、各列の加熱突起２５２と交互に配されている。第１および第２のブラシピン列２６１Ｃ、２６１Ｄの先頭と末尾を除くブラシピン２６１の間隔と、加熱突起２５２の列の加熱突起２５２の間隔とは、同一である。また、本実施形態では、複数のブラシピン２６１が、図中Ｘ方向および図中Ｙ方向に対して約４５°の角度で交差する方向に沿って配されている。
【００３０】
ここで、本実施形態では、４本のブラシピン２６１からなるブラシピン群２６１Ｅが、１個の加熱突起２５２を中心とする菱形状に構成されている。この菱形状のブラシピン群２６１Ｅの辺や対角線の長さと、ブラシピン２６１と加熱突起２５２との突出高さの差（Ｈ２−Ｈ１）とが、ブラシピン２６１に触れた使用者の指が加熱突起２５２に触れることが無いように設定されている。
【００３１】
以上説明したように、本実施形態に係るヘアーブラシ１０では、ブラシ部２０内に設けられたヒータ２２と、ブラシ部２０の外面に設けられヒータ２２により加熱される加熱板２５１と、この加熱板２５１から突出しヒータ２２により加熱される複数の加熱突起２５２とを備える加熱部材２５と、加熱板２５１から突出し、加熱時の加熱部材２５よりも低温である複数のブラシピン２６１とを備える。ここで、ブラシピン２６１は、加熱突起２５２を挟むように配されている。これによって、ヘアーブラシ１０によって毛髪がブラッシングされる際に、ブラシピン２６１間を通る毛髪に対して、加熱板２５１から伝熱するのに加えて加熱突起２５２から伝熱する。従って、加熱突起２５２が設けられていない場合と比較して、加熱部材２５から毛髪への伝熱を促進することができ、毛髪のくせ付けを促進することができる。
【００３２】
また、ブラシピン２６１の加熱板２５１からの突出量Ｈ２は、加熱突起２５２の加熱板２５１からの突出量Ｈ１よりも大きくなっている（図４参照）。これによって、ヘアーブラシ１０によって毛髪がブラッシングされる際に、加熱突起２５２と頭皮との接触を抑制することができる。
【００３３】
また、本実施形態に係るヘアーブラシ１０では、ブラシピン２６１と加熱突起２５２とが交互に一方向に配されている。これによって、当該一方向に対して直交する方向に動かされるヘアーブラシ１０によって毛髪がブラッシングされる際に、ブラシピン２６１間を通る毛髪が加熱突起２５２に接触して加熱突起２５２から受熱する。
【００３４】
また、本実施形態に係るヘアーブラシ１０では、ブラシピン２６１と加熱突起２５２とが交互にブラシ部２０の長手方向とブラシ部２０の幅方向とに沿って配されている。これによって、ブラシ部２０の幅方向に動かされるヘアーブラシ１０によって毛髪がブラッシングされる際に、ブラシピン２６１間を通る毛髪が加熱突起２５２に接触して加熱突起２５２から受熱する。ここで、加熱板２５１上には、髪の通り道が、ブラシ部２０の幅方向に沿って直線状に形成されている。これによって、髪通りに優れたブラシ部２０が構成されている。
【００３５】
また、本実施形態に係るヘアーブラシ１０では、４本のブラシピン２６１が、１個の加熱突起２５２を囲むように配されている。これによって、使用者の指が、加熱突起２５２の上方に位置する場合に、使用者の指が、加熱突起２５２を囲む４本のブラシピン２６１の先端に当たる。従って、使用者の指が加熱突起２５２に触れることを抑制できる。
【００３６】
また、本実施形態に係るヘアーブラシ１０では、ブラシピン２６１が、加熱突起２５２に指で触れることができないように配されている。従って、使用者の指が加熱突起２５２に触れることを防止できる。
【００３７】
また、本実施形態に係るヘアーブラシ１０では、ブラシピン２６１が、ブラシ２０内部に設けられイオンを発生するイオン発生器２７を備える。一方、ブラシ２０部には、イオン発生器２７により発生されたマイナスイオンを加熱板２５１の縁部の近傍から放出するイオン放出孔２１３が形成されている。これによって、ヘアーブラシ１０によってブラッシングされる毛髪にマイナスイオンを照射することができる。
【００３８】
また、本実施形態に係るヘアーブラシ１０では、複数のイオン放出孔２１３が加熱板２５１の幅方向一端側の縁部に沿って配され、複数のイオン放出孔２１３が加熱板２５１の幅方向他端側の縁部に沿って配されている。これによって、ブラシ部２０の幅方向に動かされるヘアーブラシ１０によって毛髪がブラッシングされる際に、加熱板２５１の幅方向一端と他端とにおいて、毛髪にマイナスイオンが照射される。
【００３９】
図７は、他の実施形態に係るヘアーブラシ１００を示す平面図である。図８は、図７のVIII−VIII断面図である。これらの図に示すように、本実施形態に係るヘアーブラシ１００と上述の実施形態に係るヘアーブラシ１０とは、ブラシピン２６１と加熱突起２５２との配置が異なる。なお、ブラシピン２６１と加熱突起２５２との配置を除いて、本実施形態に係るヘアーブラシ１００と上述の実施形態に係るヘアーブラシ１０とは、同様の構成である。例えば、加熱突起２５２の突出量Ｈ１は、ブラシピン２６１の突出量Ｈ２よりも小さくなっている。
【００４０】
図７に示すように、加熱突起２５２は、加熱板２５１の上にｎ（３以上）行ｍ（２以上）列で格子状に配されている。一方、ブラシピン２６１は、（ｎ＋２）行（ｍ＋１）列で格子状に配されている。なお、以下の説明では、加熱板２５１の幅方向（図中Ｘ方向）の並びを「行」と称し、加熱板２５１の長手方向（図中Ｙ方向）の並びを「列」と称する。
【００４１】
本実施形態では、加熱突起２５２が１８行３列で配されている。なお、各行や各列の加熱突起２５２の数（ｎ，ｍ）は増減してもよい。一方、ブラシピン２６１は、２０行４列で配されている。なお、各行や各列のブラシピン２６１の数（ｎ＋２，ｍ＋１）は増減してもよい。
【００４２】
ブラシピン２６１の列と加熱突起２５２の列とは、図中Ｘ方向に交互に配されている。また、ブラシピン２６１の列におけるブラシピン２６１の間隔と、加熱突起２５２の列における加熱突起２５２の間隔とは、同一である。さらに、加熱突起２５２の列の図中Ｙ方向における位置は、ブラシピン２６１の列の図中Ｙ方向における位置に対して、加熱突起２５２の列における加熱突起２５２の間隔の１／２だけずらして配されている。
【００４３】
図９は、他の実施形態に係るヘアーブラシ２００を示す平面図である。この図に示すように、本実施形態に係るヘアーブラシ２００と上述の実施形態に係るヘアーブラシ１０とは、加熱突起２５２の数および配置が異なる。なお、加熱突起２５２の数および配置を除いて、本実施形態に係るヘアーブラシ２００と上述の実施形態に係るヘアーブラシ１０とは、同様の構成である。例えば、加熱突起２５２の突出量Ｈ１は、ブラシピン２６１の突出量Ｈ２よりも小さくなっている。
【００４４】
図９に示すように、本実施形態に係るヘアーブラシ２００では、加熱突起２５２が千鳥状に配されている。上述の実施形態に係るヘアーブラシ１０では、格子状に配された３列の加熱突起２５２の列の間にブラシピン列２６１Ｃが配され、このブラシピン列２６１Ｃのブラシピン２６１間には加熱突起２５２が配されていない（図２参照）。それに対して、本実施形態に係るヘアーブラシ２００では、格子状に配された３列の加熱突起２５２の列の間に、さらに加熱突起２５２の列が配されている。相互に隣り合う加熱突起２５２の列の図中Ｙ方向における位置は、図中Ｙ方向についての加熱突起２５２の間隔の１／２だけずらして配されている。
【００４５】
即ち、図中Ｘ方向両側の列を除く複数のブラシピン２６１の列において、ブラシピン２６１と加熱突起２５２とが、図中Ｙ方向に交互に配されている。これによって、本実施形態に係るヘアーブラシ２００によれば、上述の実施形態に係るヘアーブラシ１０と比較して、加熱部材２５から毛髪への伝熱を促進することができ、毛髪のくせ付けを促進することができる。
【００４６】
図１０は、他の実施形態に係るヘアーブラシ３００を示す平面図である。この図に示すように、本実施形態に係るヘアーブラシ３００と上述の実施形態に係るヘアーブラシ１０とは、加熱突起２５２の形状、数および配置とブラシピン２６１の数および配置とが異なる。なお、加熱突起２５２の形状、数および配置とブラシピン２６１の数および配置とを除いて、本実施形態に係るヘアーブラシ３００と上述の実施形態に係るヘアーブラシ１０とは、同様の構成である。例えば、加熱突起２５２の突出量Ｈ１は、ブラシピン２６１の突出量Ｈ２よりも小さくなっている。
【００４７】
本実施形態に係るヘアーブラシ３００では、図中Ｘ方向に延びる板状の加熱突起２５２が、図中Ｙ方向に等間隔で配されている。ブラシピン２６１は、複数の加熱突起２５２の周囲と加熱突起２５２の間とに配されている。図中Ｘ方向両側の列を除く複数のブラシピン２６１の列において、ブラシピン２６１と板状の加熱突起２５２とが、図中Ｙ方向に交互に配されている。これによって、本実施形態に係るヘアーブラシ２００によれば、上述の実施形態に係るヘアーブラシ１０と比較して、加熱部材２５から毛髪への伝熱を促進することができ、毛髪のくせ付けを促進することができる。
【００４８】
なお、以上に説明した実施形態は、本発明の理解を容易にするために記載されたものであって、本発明を限定するために記載されたものではない。したがって、上記の実施形態において開示された各要素は、本発明の技術的範囲に属する全ての設計変更や均等物をも含む趣旨である。例えば、上述の実施形態では、棒状の保持部１２を備えるヘアーブラシ１０、１００、２００、３００を例に挙げたが、棒状の保持部１２を備えることは必須ではなく、ブラシ部２０を保持するように構成してもよい。
【００４９】
また、上述の実施形態では、ブラシ部２０を棒状に構成したが、円状に構成してもよい。また、上述の実施形態では、マイナスイオンを放出するように構成したが、プラスイオンを放出してもよく、あるいは、マイナスイオンとプラスイオンとの双方を放出するように構成してもよい。さらに、ブラシピン２６１に椿油等のオイルを含浸させる等してもよい。
【符号の説明】
【００５０】
１０、１００、２００、３００  ヘアーブラシ  １２  保持部、１４  電源コード、１６  電源スイッチ、１８  温度切替スイッチ、２０  ブラシ部、２１  ケーシング、２２  ヒータ、２３  ヒータ保持板、２４  伝熱板、２５  加熱部材、２６  ブラシ体、２７  マイナスイオン発生器、２８  キャップ部材、２０１  本体部、２１１  開口、２１２  保持部、２１３  イオン放出孔、２５１  加熱板、２５２  加熱突起、２５２Ａ  加熱突起群、２６１  ブラシピン、２６１Ａ  第１のブラシピン群、２６１Ｂ  第２のブラシピン群、２６１Ｃ  第１のブラシピン列、２６１Ｄ  第２のブラシピン列、２６２  基台、２７１  放電板、２７２  放電板取付部、２５１１  開口、２７１１  基板部、２７１２  針状電極
【図１】
2019041843.tif 000003
【図２】
2019041843.tif 000004
【図３】
2019041843.tif 000005
【図４】
2019041843.tif 000006
【図５】
2019041843.tif 000007
【図６】
2019041843.tif 000008
【図７】
2019041843.tif 000009
【図８】
2019041843.tif 000010
【図９】
2019041843.tif 000011
【図１０】
2019041843.tif 000012